(57)【特許請求の範囲】
【請求項１】
一対の綴杆部と、
前記一対の綴杆部を構成する複数の綴杆を並列するための一対のベース部と、
一対のベース部を回動自在に連設するヒンジ部と、
一対の綴杆部を構成する複数の綴杆を、綴杆を並列された方向であるベース部の長手方向に、共に移動させるために、一方のベース部に形成された移動部とを備え、
前記一対の綴杆部は、移動部において手前側から向こう側及び向こう側から手前側に移動され、且つ、ヒンジ部を中心にして開閉される、綴具。
【請求項２】
前記綴杆部は、綴杆のベース部に連設された根元部とは反対側の自由端に、綴杆を閉鎖したときに係止するための綴杆係止部を形成され、
前記綴杆係止部は、係止する綴杆の回転方向と交差する方向に係止する綴杆を相対移動して係止又は脱係するように形成され、
綴杆係止部を係止する方向に、前記一対の綴杆部を付勢する付勢部材が、前記ベース部に設けられた、請求項１に記載の綴具。
【請求項３】
前記ベース部は、複数の綴杆を並列された第１ベース部と、複数の綴杆を並列された第２ベース部とを備え、
前記第１ベース部は、ヒンジ部に連設され、
前記第２ベース部は、複数の綴杆を形成された部位とヒンジ部に連設された部位とに分かれており、
前記移動部は、第２ベース部に形成され、前記複数の綴杆を形成された部位とヒンジ部を連設された部位とを異なる方向に移動できるように形成された、請求項１又は請求項２に記載の綴具。
【請求項４】
前記一対のベース部は、一方のベース部が、前記ヒンジ部に連設された一方の板状のスライド体と、前記複数の綴杆を並列させる他方の板状のスライド体とを有し、
一方のスライド体と他方のスライド体とは、前記移動部により、前記スライド体の長手方向に摺動自在に連結された、請求項１ないし請求項３のいずれかに記載の綴具。
【請求項５】
前記移動部は、一対のベース部のうち一方のベース部が摺動自在に連結された複数の板状体で構成され、
一方の板状体は、長手方向にのびる摺動孔に他方の板状体に突設された摺動凸部を嵌挿して連結された、請求項１ないし請求項４のいずれかに記載の綴具。
【請求項６】
前記摺動孔は、摺動凸部の頭部を板状体の厚さ方向に向けて嵌挿させるための挿入大孔と、前記挿入大孔に続いて長手方向にのびるように形成された細長孔と、前記細長孔に臨む案内凸条とを有し、
前記摺動凸部は、その頭部と、頭部に首部を介して続く肩部とを、摺動孔の案内凸条に係止させて、前記摺動孔ののびる方向に移動する、請求項５に記載の綴具。
【発明の詳細な説明】
【技術分野】
【０００１】
この発明は、ファイリング用の綴具に関するものであり、特に、例えばセルリング式ノート又は綴じ穴のあるリーフを綴じるファイル・バインダ類に用いられる綴具である。
【背景技術】
【０００２】
従来、リング状の部材を用いて、穴の開いたリーフを綴じていたノートは、そのリングの形状に沿って、３６０°リーフを広げること、すなわち開くだけでなく、リーフを折り返しノートの表面側と裏面側とを重ねることができ、１８０度しか開かないノートと比して半分のスペースで活用することができた。しかし、このセルリング式ノートは、リーフの差し替えができない欠点があった。
一方、特許第３４４０３５６号、実開平７−１７５７８号及び特開２０１０−１２０３６７の綴具を用いたノート、すなわちリーフを綴じる綴杆部が開閉可能なノートは、リーフの差し替えが可能である。
【先行技術文献】
【特許文献】
【０００３】
【特許文献１】特許第３４４０３５６号
【特許文献２】実開平７−１７５７８号
【特許文献３】特開２０１０−１２０３６７号
【発明の概要】
【発明が解決しようとする課題】
【０００４】
しかしながら、特許第３４４０３５６号の綴具は、複数の櫛部（２）を有する２本の主部材（１）からなる綴具であって、主部材（１ａ）の先端（７ａ）にスライド可能なリング部材（４）を設け、かつ、このリング部材（４）の内側の形状は主部材（１ａ）と主部材（１ｂ）とを一体に合わせた外形とほぼ同一もしくは少し小さなものであり、リーフの差し換えのために、２本の主部材を分離した後に、複数の櫛部の先端の嵌合手段を嵌合するときに、多くの櫛部を嵌合するために比較的手間がかかった。
また、実開平７−１７５７８号の綴具は、複数の綴環を起立した第１部材と第２部材とを共通の軸線で枢着している。したがって、第１部材と第２部材とは分離しないが、綴環１５，１７の基部に複数の綴環を連結する棒状の連結部を形成し、その連結部の内側面から張出部２３を突設しているために、例えば、机の上に置いて綴具を開こうとしても、綴環の基部の外側が机の面に突き出たり、綴環が充分開かず、リーフの出し入れが比較的困難である。また、合成樹脂による一体成形は、製造用金型が複雑な構造となり、困難である。
また、特開２０１０−１２０３６７号の綴具は、部品点数が多く、製造時の組み立てが比較的困難である。
それゆえに、この発明の主たる目的は、製造が容易で、綴杆を開き易く且つ閉じ易い綴具を提供することである。
【課題を解決するための手段】
【０００５】
この発明にかかる綴具は、一対の綴杆部と、前記一対の綴杆部を構成する複数の綴杆を並列するための一対のベース部と、一対のベース部を回動自在に連設するヒンジ部と、一対の綴杆部を構成する複数の綴杆を、綴杆を並列された方向であるベース部の長手方向に、共に移動させるために、一方のベース部に形成された移動部とを備え、前記一対の綴杆部は、移動部において手前側から向こう側及び向こう側から手前側に移動され、且つ、ヒンジ部を中心にして開閉される、綴具である。
この発明の請求項２にかかる綴具においては、前記綴杆部は、綴杆のベース部に連設された根元部とは反対側の自由端に、綴杆を閉鎖したときに係止するための綴杆係止部を形成され、前記綴杆係止部は、係止する綴杆の回転方向と交差する方向に係止する綴杆を相対移動して係止又は脱係するように形成され、綴杆係止部を係止する方向に、前記一対の綴杆部を付勢する付勢部材が、前記ベース部に設けられた、請求項１に記載の綴具である。
この発明の請求項３にかかる綴具においては、前記ベース部は、複数の綴杆を並列された第１ベース部と、複数の綴杆を並列された第２ベース部とを備え、前記第１ベース部は、ヒンジ部に連設され、前記第２ベース部は、複数の綴杆を形成された部位とヒンジ部に連設された部位とに分かれており、前記移動部は、第２ベース部に形成され、前記複数の綴杆を形成された部位とヒンジ部を連設された部位とを異なる方向に移動できるように形成された、請求項１又は請求項２に記載の綴具である。
この発明の請求項４にかかる綴具においては、前記一対のベース部は、一方のベース部が、前記ヒンジ部に連設された一方の板状のスライド体と、前記複数の綴杆を並列させる他方の板状のスライド体とを有し、一方のスライド体と他方のスライド体とは、前記移動部により、前記スライド体の長手方向に摺動自在に連結された、請求項１ないし請求項３のいずれかに記載の綴具である。
この発明の請求項５にかかる綴具においては、前記移動部は、一対のベース部のうち一方のベース部が摺動自在に連結された複数の板状体で構成され、一方の板状体は、長手方向にのびる摺動孔に他方の板状体に突設された摺動凸部を嵌挿して連結された、請求項１ないし請求項４のいずれかに記載の綴具である。
この発明の請求項６にかかる綴具においては、前記摺動孔は、摺動凸部の頭部を板状体の厚さ方向に向けて嵌挿させるための挿入大孔と、前記挿入大孔に続いて長手方向にのびるように形成された細長孔と、前記細長孔に臨む案内凸条とを有し、前記摺動凸部は、その頭部と、頭部に首部を介して続く肩部とを、摺動孔の案内凸条に係止させて、前記摺動孔ののびる方向に移動する、請求項５に記載の綴具である。
【発明の効果】
【０００６】
この発明によれば、一対の綴杆部と、前記一対の綴杆部を構成する複数の綴杆を並列するための一対のベース部と、一対のベース部を回動自在に連設するヒンジ部と、一対の綴杆部を構成する複数の綴杆を、綴杆を並列された方向であるベース部の長手方向に、共に移動させるために、一方のベース部に形成された移動部とを備え、前記一対の綴杆部は、移動部において手前側から向こう側及び向こう側から手前側に移動され、且つ、ヒンジ部を中心にして開閉されるように構成されているので、製造が容易で、綴杆を開き易く且つ閉じ易い綴具を提供することができる。
請求項２の発明によれば、前記綴杆部は、綴杆のベース部に連設された根元部とは反対側の自由端に、綴杆を閉鎖したときに係止するための綴杆係止部を形成され、前記綴杆係止部は、係止する綴杆の回転方向と交差する方向に係止する綴杆を相対移動して係止又は脱係するように形成され、綴杆係止部を係止する方向に、前記一対の綴杆部を付勢する付勢部材が、前記ベース部に設けられているので、複数の綴杆を確実に環状に係止でき且つ複数の綴杆で構成される綴杆部を共に開閉させることができる。
請求項３の発明によれば、前記ベース部は、複数の綴杆を並列された第１ベース部と、複数の綴杆を並列された第２ベース部とを備え、前記第１ベース部は、ヒンジ部に連設され、前記第２ベース部は、複数の綴杆を形成された部位とヒンジ部に連設された部位とに分かれており、前記移動部は、第２ベース部に形成され、前記複数の綴杆を形成された部位とヒンジ部を連設された部位とを異なる方向に移動できるように形成されているので、第１綴杆と第２綴杆とを閉じた状態又は開いた状態に移動させることができる。
請求項４の発明によれば、前記一対のベース部は、一方のベース部が、前記ヒンジ部に連設された一方の板状のスライド体と、前記複数の綴杆を並列させる他方の板状のスライド体とを有し、一方のスライド体と他方のスライド体とは、前記移動部により、前記スライド体の長手方向に摺動自在に連結されているので、綴杆を開閉するときに、環状に係止する綴杆の回転方向と交差する方向に一方の綴杆と他方の綴杆とを相対移動させて、共に開閉することができるように構成できる。
請求項５の発明によれば、前記移動部は、一対のベース部のうち一方のベース部が摺動自在に連結された複数の板状体で構成され、一方の板状体は、長手方向にのびる摺動孔に他方の板状体に突設された摺動凸部を嵌挿して連結されているので、綴杆を開閉するときに、綴杆の回転方向と交差する方向に一方の板状体と他方の板状体とを相対移動させて、開閉することができるように構成できる。
請求項６の発明によれば、前記摺動孔は、摺動凸部の頭部を板状体の厚さ方向に向けて嵌挿させるための挿入大孔と、前記挿入大孔に続いて長手方向にのびるように形成された細長孔と、前記細長孔に臨む案内凸条とを有し、前記摺動凸部は、その頭部と、頭部に首部を介して続く肩部とを、摺動孔の案内凸条に係止させて、前記摺動孔ののびる方向に移動するように構成できるので、綴杆を開閉するときに、正確に相対移動させて、綴杆を開閉することができるように構成できる。
【０００７】
この発明の上述の目的、その他の目的、特徴及び利点は、図を参照して行う以下の発明を実施するための最良の形態の説明から一層明らかとなろう。
この明細書及び特許請求の範囲において、リーフは、用紙、合成樹脂製ポケット、表紙等の綴具に綴じられる被綴じ物の総称である。
【図面の簡単な説明】
【０００８】
【図１】この発明にかかる綴具を用いたノートの斜視図解図である。
【図２】この発明にかかる綴具の斜視図解図であり、（Ａ）は全体を示す図で、（Ｂ）は拡大した図である。
【図３】この発明にかかる綴具の斜視図解図であり、（Ａ）は全体を示す図で、（Ｂ）は拡大した図である。
【図４】第１綴具部材及び第２綴具部材の斜視図解図である。
【図５】第１綴具部材と第２綴具部材との組み立て方を示す斜視図解図である。
【図６】第１綴具部材と第２綴具部材との組み立て方を示す斜視図解図である。
【図７Ａ】第１綴具部材の底面図解図である。
【図７Ｂ】第１綴具部材の縦断面図解図である。
【図８】組み立て方を示す第２ベース部の縦断面図解図である。
【図９】第２ベース部の縦断面図解図である。
【図１０】第１綴具部材及び第２綴具部材と付勢部材との組み立て方を示す斜視図解図である。
【図１１】第１綴具部材及び第２綴具部材と付勢部材との組み立て方を示す縦断面図解図である。
【図１２】開いた状態における綴具の一部の平面図解図である。
【図１３】開いた状態における綴具の一部の断面図解図である。
【図１４】第１綴杆の斜視図解図である。
【図１５】第２綴杆の斜視図解図である。
【図１６Ａ】綴具を閉じた状態における平面図解図である。
【図１６Ｂ】閉じた状態における第２ベース部の縦断面図解図である。
【図１７Ａ】図１６Ａ−Ａ断面図解図である。
【図１７Ｂ】図１６Ｂ−Ｂ断面図解図である。
【図１７Ｃ】図１６Ｃ−Ｃ断面図解図である。
【図１８Ａ】開き始めた状態における綴具の平面図解図である。
【図１８Ｂ】開き始めた状態における第２ベース部の縦断面図解図である。
【図１９Ａ】開いた状態における図１６Ａ−Ａ図解図である。
【図１９Ｂ】開いた状態における図１６Ｂ−Ｂ図解図である。
【図１９Ｃ】開いた状態における図１６Ｃ−Ｃ断面図解図である。
【図２０】この発明にかかる綴具を開いたノートにおける綴具の開き方を示す平面図解図である。
【図２１】この発明にかかる綴具を開いたノートにおける綴具の開き方を示す平面図解図である。
【図２２】この発明にかかる綴具を開いたノートにおける綴具の開き方を示す平面図解図である。
【図２３】この発明にかかる綴具を開いたノートにおける綴具の開き方を示す平面図解図である。
【図２４】この発明にかかる綴具を開いたノートにおける綴具の開き方を示す平面図解図である。
【図２５】この発明にかかる綴具を開いたノートにおける綴具の開き方を示す平面図解図である。
【図２６】変形例の斜視図解図である。
【図２７】ノートのリーフの開き方を示す平面図解図であり、（Ａ）は閉じた状態の図で、（Ｂ）は半分捲った状態の図で、（Ｃ）は３６０度捲った状態の図である。
【図２８】綴具の説明図である。
【図２９】ノートの説明図であり、（Ａ）は全体の図であり、（Ｂ）はリーフの図である。
【発明を実施するための形態】
【０００９】
図１は、この発明にかかる綴具を用いたノートの斜視図解図であり、図２は、この発明にかかる綴具の斜視図解図であり、図３は、この発明にかかる綴具の斜視図解図であり、図４は、第１綴具部材及び第２綴具部材の斜視図解図であり、図５は、第１綴具部材と第２綴具部材との組み立て方を示す斜視図解図であり、図６は、第１綴具部材と第２綴具部材との組み立て方を示す斜視図解図であり、図７Ａは、第１綴具部材の底面図解図であり、図７Ｂは、第１綴具部材の縦断面図解図であり、図８は、第２ベース部の縦断面図解図であり、図９は、第２ベース部の縦断面図解図であり、図１０は、第１綴具部材と第２綴具部材との組み立て方を示す斜視図解図であり、図１１は、第１綴具部材と第２綴具部材との組み立て方を示す縦断面図解図であり、図１２は、開いた状態における綴具の平面図解図であり、図１３は、開いた状態における綴具の断面図解図である。
この発明の綴具１０は、一対の綴杆部１２と、前記綴杆部１２を構成する複数の綴杆を並列するためのベース部１４と、前記綴杆部１２を構成する複数の綴杆を開閉させるときの中心となるヒンジ部１６と、一対の綴杆部１２を構成する複数の綴杆を、並列された方向であるベース部１４の長手方向に、共に移動させるために、一方のベース部１４に形成された移動部１８とを備える綴具であって、一対の綴杆部１２を相対的に移動して綴杆部１２を開閉することができるように構成されている。
この綴具１０は、主として、一般的にセルリング式ノートと称されるノートに類似したノート用として構成され、綴具１０の綴杆部１２に沿ってリーフ１１０を回転させて３６０度広げること、すなわち綴杆部１２に綴じられたリーフ１１０を綴杆に沿って捲り、３６０度捲りかえし、閉じたときに両端にあるリーフ１１０の表側と裏側とがヒンジ部１６を挟んで接し合うことができるように、構成されている。
通常、綴じ穴のある筆記する用紙の表側及び裏側に該用紙よりも比較的硬質の表紙が積層されており、この明細書及び特許請求の範囲においては、リーフ１１０の表側及び裏側には、用紙、合成樹脂製ポケット等の表面側の表表紙の表側と裏面側の裏表紙の裏側とを含まれる。
【００１０】
前記一対の綴杆部１２を構成する複数の綴杆は、半環状の第１綴杆２０及び第２綴杆４０が各々向き合って綴杆部１２を閉じたときに係合するように、前記ベース部１４を構成する一対のベース部１４の各々にその長手方向に適宜な間隔をおいて、ベース部１４の内側部ないし上側部から突設されている。すなわち、前記左右（表側と裏側）に分かれた一対の綴杆部１２は、前記ヒンジ部１６を中心にして左右（表側と裏側）に分かれた対称形である、正面視円弧状の第１綴杆２０及び正面視円弧状の第２綴杆４０を複数備える。
【００１１】
前記ベース部１４は、前記ヒンジ部１６を中心にして左右に分かれた、第１ベース部２２及び第２ベース部２４を備える。左側（表側）の第１ベース部２２及び右側（裏側）の第２ベース部２４は、向こう側から手前側に連続して長手方向に直線状にのびる略板状体である。
【００１２】
前記一対のベース部１４は、一方の第２ベース部２４が、前記ヒンジ部１６に連設された一方の長手方向を有する板状の第１スライド体２６と、前記複数の第２綴杆４０を並列させる他方の長手方向を有する板状の第２スライド体２８とを有している。第２ベース部２４を構成する一方の上側の第１スライド体２６と他方の下側の第２スライド体２８とは、前記移動部１８により、前記第１スライド体２６及び第２スライド体２８の長手方向に、互い違いに摺動するように移動自在に連結されている。
第１スライド体２６と第２スライド体２８とは、同一の幅と同一の長さとを有する、平面視略長方形の薄い板状体である。上側の第１スライド体２６と下側の第２スライド体２８とは、接し合わされたとき、周縁が略々一致する。
上側の第１スライド体２６と下側の第２スライド体２８とが接し合わされる対向面は、平面状であり、第１スライド体２６と第２スライド体２８とが摺動できるように形成されている。
【００１３】
前記ベース部１４は、綴杆部１２に綴じられたリーフ１１０を第１綴杆２０及び第２綴杆４０に沿って捲り、３６０度捲りかえし、閉じたときに両端にあるリーフ１１０の表側と裏側とがヒンジ部１６を挟んで接し合うことができるように、下部において第１綴杆２０の根元部１２２ａ及び第２綴杆４０の根元部１４２ａと近接した位置にヒンジ部１６を連設されている。
【００１４】
前記ヒンジ部１６は、前記ベース部１４（第１ベース部２２及び第２ベース部２４）の長手方向にのびて一対のベース部１４（第１ベース部２２と第２ベース部２４と）を連結し、前記第１綴杆２０の自由端１２２ｂと第２綴杆４０の自由端１４２ｂとを合わせて閉鎖するとき及び第１綴杆２０の自由端１２２ｂと第２綴杆４０の自由端１４２ｂとを離間させるときに回転中心となり、綴杆部１２に綴じられたリーフ１１０を第１綴杆２０及び第２綴杆４０に沿って捲り、３６０度捲りかえすことができるように構成されている。
【００１５】
前記ヒンジ部１６は、ベース部１４の厚さより薄い薄肉部を備える。
ヒンジ部１６の薄肉部は、第１ベース部２２の長手端縁と第１スライド体２６の長手端縁とを連設されて、第１ベース部２２と第１スライド体２６とを回動自在とするように構成され、前記ヒンジ部１６の薄肉部は、前記ベース部１４の長手方向に沿って、向こう側から手前側に一直線状に連続してのび、第１ベース部２２と第１スライド体２６とを連結する。
ヒンジ部１６は、前記第１綴杆２０の先端（自由端１２２ｂ）及び第２綴杆４０の先端（自由端１４２ｂ）を合わせて閉鎖するとき及び第１綴杆２０の先端（自由端１２２ｂ）及び第２綴杆４０の先端（自由端１４２ｂ）を離間させるときに回転中心となり、第１綴杆２０及び第２綴杆４０の先端を合わせて閉鎖したとき、第１ベース部２２の上面（第１綴杆２０の突出した側の第１ベース部の対向部８２）と第２ベース部２４の上面（第２綴杆４０の突出した側の第２ベース部の対向部９２）とを合わせて、第１綴杆２０及び第２綴杆４０に綴じられたリーフ１１０を第１綴杆２０及び第２綴杆４０に沿って捲り、３６０度捲りかえすことができるように構成されている。
【００１６】
前記移動部１８は、一対のベース部１４のうち一方の第２ベース部２４を構成するために摺動自在に連結された複数の板状体である第１スライド体２６及び第２スライド体２８の一部で構成され、一方の板状体である第１スライド体２６は、その長手方向にのびる摺動孔５０に、他方の板状体である第２スライド体２８に突設された摺動凸部６０を嵌挿して連結されている。
【００１７】
前記摺動孔５０は、摺動凸部６０の頭部６２を板状体である第１スライド体２６及び第２スライド体２８の厚さ方向に向けて嵌挿させるための挿入大孔５２と、前記挿入大孔５２に続いて長手方向にのびるように形成された細長孔５４と、前記細長孔５４に臨む案内凸条５６とを有している。
前記摺動凸部６０は、その頭部６２と、頭部６２に首部６４を介して続く肩部６６とを有しており、括れた首部６４を摺動孔５０の案内凸条５６に沿わせ、頭部６２と肩部６６とを摺動孔５０の案内凸条５６に係止させて、第２スライド体２８を前記摺動孔５０ののびる方向に移動するように構成されている。
【００１８】
案内凸条５６は、摺動孔５０の左側壁から突設された、薄板状の第１案内凸条５６ａと摺動孔５０の右側壁から突設された、薄板状の第２案内凸条５６ｂとを有し、第１案内凸条５６ａと第２案内凸条５６ｂとは向き合って、その間に細長孔５４を形成する。
第１案内凸条５６ａ及び第２案内凸条５６ｂの上面は、同じ高さに位置するように形成されており、摺動凸部６０の頭部６２を収容するために、第１ベース部２２の上面（第１ベース部の対向部８２）より低くなるように形成されている。
第１案内凸条５６ａと第２案内凸条５６ｂとは、同じ幅で同じ厚さを有する対称形であり、摺動孔５０の長手方向にのびる中心線（第１スライド体２６の長手方向にのびる中心軸線Ｌ2と一致）を挟んで形成されており、ヒンジ部１６ののびる方向である薄肉部の長手方向の中心軸線Ｌ1及び第１スライド体２６の長手方向にのびる中心軸線Ｌ2と平行に形成されている（図１４参照）。第１案内凸条５６ａと第２案内凸条５６ｂとが対向するそれぞれの対向縁は、直線状である。
第１案内凸条５６ａと第２案内凸条５６ｂとは、挿入大孔５２に臨む角を、そぎ落としており、摺動凸部６０の首部６４を嵌め込み易くしている。
第１案内凸条５６ａと第２案内凸条５６ｂとは、摺動凸部６０の頭部６２及び肩部６６とが接する上面及び下面が平面状であり、摺動凸部６０を摺動し易くするように構成している。
摺動凸部６０の頭部６２及び肩部６６は、第１案内凸条５６ａと第２案内凸条５６ｂとの間の細長孔５４の幅より大きい幅を備え、摺動凸部６０の頭部６２の下面が第１案内凸条５６ａ及び第２案内凸条５６ｂの上面に接し合い、摺動凸部６０の肩部６６の上面が第１案内凸条５６ａの下面に接し合う。
而して、摺動凸部６０は、摺動孔５０の長手方向の中心線に沿って摺動し、それに伴って、第２スライド体２８は、第１スライド体２６の摺動面上を移動する。
移動部１８は、第１スライド体２６及び第２スライド体２８の手前側と向こう側及び中間において、複数個所に設けられている。
【００１９】
移動部１８は、第２ベース部２４に移動する距離を規制するための移動距離規制部７０を備える。
移動距離規制部７０は、図４，図７Ｂ及び図９に示すように、第１スライド体２６の下面（摺動面）に形成された規制凹部７４と、第２スライド体２８の上面（摺動面）に形成された規制凸部７２とにより構成されている。
規制凹部７４は、第１スライド体２６の長手方向にのびる長穴であり、規制凸部７２は、規制凹部７４の内側に収容され、規制凹部７４の長手方向に移動できるように、縦断面略三角状の突起である。
規制凹部７４は、規制凸部７２が最適な移動距離を移動したときに突き当たる側に垂直面７４ａを備えており、垂直面７４ａと対向する規制凸部７２の垂直壁７２ａに突き当たったときに、第２スライド体２８の移動を停止させるように構成されている。
規制凸部７２の垂直壁７２ａ及び規制凹部７４の垂直面７４ａは、第１ベース部２２及び第２ベース部２４の幅方向にのびており、対向する面を平行に形成している。
移動距離規制部７０は、第１スライド体２６及び第２スライド体２８の手前側と向こう側とに複数個所設けられている。
【００２０】
移動部材１８により規制される第２ベース部２４の移動する適宜な間隔とは、第１綴杆２０と第２綴杆４０とをベース部１４の長手方向すなわち手前側及び向こう側に向けて相対移動させて、第１綴杆の綴杆係止部１２４と第２綴杆の綴杆係止部１４４とを脱係させるに必要な長さをいう。
この実施の形態においては、第１綴具部材１２０の第１綴杆２０を向こう側に移動させ且つ第２綴具部材１４０の第２綴杆４０を手前側に移動させて、閉じていた第１綴杆２０と第２綴杆４０とを開く。
【００２１】
この実施の形態においては、第１綴杆２０，第１ベース部２２，ヒンジ部１６及び第１スライド体２６は、第１綴具部材１２０に形成され、第２綴杆４０及び第２スライド体２８は、第２綴具部材１４０に形成されている。
第１綴具部材１１８Ａは、第１綴杆２０，第１ベース部２２，ヒンジ部１６及び第１スライド体２６を合成樹脂で一体成形され、同様に、第２綴具部材１４０は、第２綴杆４０及び第２スライド体２８を合成樹脂で一体成形されている。
【００２２】
綴杆部１２は、図２，図３，図１４及び図１５に示すように、第１綴杆２０及び第２綴杆４０のベース部１４に連設された根元部１２２ａ及び根元部１４２ａとは反対側の自由端１２２ｂ及び自由端１４２ｂに、第１綴杆２０及び第２綴杆４０を閉鎖したときに係止するための綴杆係止部を形成されている。すなわち、第１綴杆２０は、根元部１２２ａとは反対側の頂部である自由端１２２ｂに第１綴杆の綴杆係止部１２４を形成され、第２綴杆４０は、根元部１４２ａとは反対側の頂部である自由端１４２ｂに第２綴杆の綴杆係止部１４４を形成されている。
綴杆部１２は、根元部１２２ａ及び根元部１４２ａから頂部に至る高さ方向（垂直方向）と、第１綴杆２０の外周部（外側部）から第２綴杆４０の外周部（外側部）に至る幅方向（水平方向）とを備え、第１綴杆２０及び第２綴杆４０の厚さ（外周部と内周部との間の長さ）よりも、綴具の長さ方向における第１綴杆２０及び第２綴杆４０の幅の方が長い、断面長方形状である。そして、第１綴杆２０及び第２綴杆４０は、根元部１２２ａ及び根元部１４２ａから頂部に至るまで、リーフ１１０を捲ることができるように、リーフ１１０の綴じ穴１１２に貫挿される形状に構成されている。
前記第１綴杆の綴杆係止部１２４及び第２綴杆の綴杆係止部１４４は、係止する第１綴杆２０及び第２綴杆４０の回転方向と交差する方向に、すなわちヒンジ部１６の長手方向（薄肉部ののびる長手方向の中心軸線Ｌ1方向）に第１綴杆２０及び第２綴杆４０を相対移動して、第１綴杆２０及び第２綴杆４０の先端を合わせて閉鎖するときに係止し又は第１綴杆２０及び第２綴杆４０の先端を離間させるときに脱係するように形成されている。
【００２３】
第１綴杆２０は、閉じたときに略円環状の綴杆となるように、半円弧状の半割杆から構成され、第２綴杆４０は、閉じたときに略円環状の綴杆となるように、半円弧状の半割杆から構成され、第１綴杆２０と第２綴杆４０とは対向するように構成されている。
そして、リーフ１１０に予め穿設された綴じ穴１１２に挿通して、リーフ１１０を綴じることができるように、第１綴杆２０と第２綴杆４０との先端、すなわち第１綴杆２０及び第２綴杆４０の頂部において、第１綴杆の綴杆係止部１２４及び第２綴杆の綴杆係止部１４４が形成されている。
第１綴杆２０を構成する半割杆と第２綴杆４０を構成する半割杆とは、自由端１２２ｂの第１綴杆の綴杆係止部１２４と、自由端１４２ｂの第２綴杆の綴杆係止部１４４とを係止することにより、略円環状に連結される。
そして、綴杆部１２を開くときにおいては、第１綴杆２０と第２綴杆４０とは、その第１綴杆の綴杆係止部１２４及び第２綴杆の綴杆係止部１４４をそれぞれ逆方向に指で捩ることにより、係止された第１綴杆の綴杆係止部１２４及び第２綴杆の綴杆係止部１４４を外すことができるように構成されている。
【００２４】
第１綴杆２０の先端に形成された第１綴杆の綴杆係止部１２４を構成する先端の第１綴杆の凸部１２６及びその第１綴杆の凸部１２６に続く第１綴杆の凹部１２８と、第２綴杆４０の第２綴杆の綴杆係止部１４４を構成する先端の第２綴杆の凸部１４６及びその先端の第２綴杆の凸部１４６に続く第２綴杆の凹部１４８とは、第１綴杆２０と第２綴杆４０とを閉じたとき係合するように逆方向に向けて突き出しあるいは凹み形成されている。
すなわち、第１綴杆２０を構成する半割杆の先端に形成された第１綴杆の綴杆係止部１２４を構成する第１綴杆の凸部１２６は、手前側に向けて突き出されている。そして、その第１綴杆の凸部１２６に続く第１綴杆の凹部１２８は、向こう側に向けて凹んでいる。第２綴杆４０を構成する半割杆の先端に形成された第２綴杆の綴杆係止部１４４を構成する第２綴杆の凸部１４６は、向こう側に向けて突き出されている。そして、その先端の第２綴杆の凸部１４６に続く第２綴杆の凹部１４８は、手前側に向けて凹んでいる。
第１綴杆２０と第２綴杆４０とを閉じたとき係合するように、第１綴杆の凸部１２６及び第１綴杆の凹部１２８と第２綴杆の凸部１４６及び第２綴杆の凹部１４８とは、逆方向に向けて突き出しあるいは凹み形成されている。
第１綴杆２０の先端の第１綴杆の綴杆係止部１２４を構成する第１綴杆の凸部１２６と第２綴杆４０の先端の第２綴杆の綴杆係止部１４４を構成する第２綴杆の凸部１４６とは、反対方向に向けて突き出し設けられている。
また、第１綴杆２０の先端の第１綴杆の綴杆係止部１２４を構成する第１綴杆の凹部１２８と第２綴杆４０の先端の第２綴杆の綴杆係止部１４４を構成する第２綴杆の凹部１４８とは、反対方向に向けて凹み形成されている。
第１綴杆の凸部１２６及び第２綴杆の凸部１４６の突き出る方向Ｌ3と第１綴杆の凹部１２８及び第２綴杆の凹部１４８の凹む方向Ｌ3とは、細長孔５４ののびる方向である第１スライド体２６の長手方向にのびる中心軸線Ｌ2と平行である（図１４参照）。
【００２５】
前記第１綴杆の綴杆係止部１２４及び第２綴杆の綴杆係止部１４４は、第１綴杆２０及び第２綴杆４０の回転方向及び回転方向と交差する方向に脱係しないように、第１綴杆２０及び第２綴杆４０の回転方向と交差する方向にのびる脱係防止部１３０及び脱係防止部１５０が形成されている。
脱係防止部１３０は、頂部側において手前側に向けて突き出る鉤鼻状係止凸部１３２と、根元部１２２ａ側において向こう側に向けて凹む係止凹部１３４とを有し、自由端側の係止凸部１３２から続いて根元部１２２ａ側に係止凹部１３４が形成されている。
脱係防止部１５０は、頂部側において向こう側に向けて突き出る鉤鼻状係止凸部１５２と、根元部１４２ａ側において手前側に向けて凹む係止凹部１５４とを有し、自由端側の係止凸部１５２から続いて根元部１４２ａ側に係止凹部１５４が形成されている。
係止凸部１３２及び係止凸部１５２の突き出る方向Ｌ4と係止凹部１３４及び係止凹部１５４の凹む方向Ｌ4とは、細長孔５４ののびる方向である第１スライド体２６の長手方向にのびる中心軸線Ｌ2と平行である（図１４参照）。
【００２６】
第１綴杆２０と第２綴杆４０とを閉じたとき、脱係防止部１３０の係止凸部１３２は脱係防止部１５０の係止凹部１５４に嵌合され、脱係防止部１５０の係止凸部１５２は脱係防止部１３０の係止凹部１３４に嵌合され、係止凸部１３２と係止凸部１５２とは、第１綴杆２０と第２綴杆４０とを回転方向に引いたときに、突き当たる。
第１綴杆の綴杆係止部１２４の脱係防止部１３０は、第２綴杆の綴杆係止部１４４の上部に向けて突き出され、第１綴杆の綴杆係止部１２４と第２綴杆の綴杆係止部１４４とを係合したときに、第２綴杆４０が上方に向けて衝撃などにより移動することを防止している。
第２綴杆の綴杆係止部１４４の脱係防止部１５０は、第１綴杆の綴杆係止部１２４の上部に向けて突き出され、第１綴杆の綴杆係止部１２４と第２綴杆の綴杆係止部１４４とを係合したときに、第１綴杆２０が上方に向けて衝撃などにより移動することを防止している。
このように、この実施の形態においては、第１綴杆２０及び第２綴杆４０の頂部を指でねじることにより、第１綴具部材１２０の第１綴杆２０を向こう側に移動させ且つ第２綴具部材１４０の第２綴杆４０を手前側に移動させて、第１綴杆２０の半割杆の第１綴杆の綴杆係止部１２４と第２綴杆４０の半割杆の第２綴杆の綴杆係止部１４４との係合を外すことができる。
なお、閉じるときにおいては、脱係防止部１３０の係止凸部１３２と脱係防止部１５０の係止凸部１５２とは、突き出たり滑りながら係止凹部１５４及び係止凹部１３４に嵌まるように、なだらかな傾斜面が自由端から形成されている。
【００２７】
前記ベース部１４を構成する第１綴具部材１２０の第１ベース部２２は、綴杆部１２を閉じたときに第１ベース部２２と第２ベース部２４とが向き合う領域である第１ベース部の対向部８２と、前記第１ベース部の対向部８２と相対し第１綴杆２０が突設された第１ベース部の外側部８４と、前記第１ベース部の対向部８２と第１ベース部の外側部８４との間において前記第１ベース部の対向部８２及び第１ベース部の外側部８４に交差する面であって、ヒンジ部１６が連設された第１ベース部の下側部８６と、前記第１ベース部の対向部８２と第１ベース部の外側部８４との間において前記第１ベース部の対向部８２及び第１ベース部の外側部８４に交差する面であって、第１綴杆２０が突き出された側である第１ベース部の上側部８８とを備える。
前記ベース部１４を構成する第２綴具部材１４０の第２ベース部２４は、第１ベース部２２と第２ベース部２４とが向き合う領域である第２ベース部の対向部９２と、前記第２ベース部の対向部９２と相対し第２綴杆４０が突設された第２ベース部の外側部９４と、前記第２ベース部の対向部９２と第２ベース部の外側部９４との間において前記第２ベース部の対向部９２及び第２ベース部の外側部９４に交差する面であって、ヒンジ部１６が連設された第２ベース部の下側部９６と、前記第２ベース部の対向部９２と第２ベース部の外側部９４との間において前記第２ベース部の対向部９２及び第２ベース部の外側部９４に交差する面であって、第２綴杆４０が突き出された側である第２ベース部の上側部９８とを備える。
この実施の形態においては、第１ベース部２２及び第２ベース部２４は、略四角柱状である。
そして、第１ベース部の対向部８２と第２ベース部の対向部９２とは、回転方向と直交し、綴具１０を閉じたときに垂直にすなわち高さ方向にのびる平面であって、図１６Ａ及び図１７Ａ〜Ｃに示すように綴具１０を閉じたときに密着するように形成されている。
【００２８】
第１ベース部２２の第１ベース部の対向部８２は、第２ベース部の対向部９２と略々密着するように、摺動凸部６０の頭部６２の第２ベース部の対向部９２より突き出た部分を収容するための頭部収容穴８２ａを穿設されている。
又、第１ベース部２２の第１ベース部の対向部８２は、第２ベース部２４の第２ベース部の対向部９２と略々密着するように、後述する付勢部材１００のコイル部１０２の第２ベース部の対向部９２より突き出た部分を収容するための付勢部材収容穴８２ｂを穿設されている。
【００２９】
頭部収容穴８２ａは、摺動凸部６０の頭部６２の移動距離分の長さを備える平面視方形状であり、摺動凸部６０の頭部６２の幅より若干長い幅を備える。
付勢部材収容穴８２ｂは、付勢部材１００のコイル部１０２，第１フック部１０４ａ及び第２付勢部材固定部１０８を合わせた長さ（長手方向における長さ）を備える平面視方形状であり、コイル部１０２の直径より若干長い幅を備える。
頭部収容穴８２ａ及び付勢部材収容穴８２ｂの長手方向にのびる中心線Ｌ5は、ヒンジ部１６の薄肉部ののびる長手方向の中心軸線Ｌ1と、細長孔５４ののびる方向である第１スライド体２６の長手方向にのびる中心軸線Ｌ2とは、平行になるように構成されている（図１４参照）。
【００３０】
前記第１スライド体２６の向こう側に存する前記第１綴具部材１２０の摺動孔５０の内側近傍と前記第２スライド体２８の向こう側に存する第２綴具部材１４０の摺動凸部６０の内側近傍との間に、前記第１スライド体２６と第２スライド体２８との長手方向に引張力をかける付勢部材１００が、負荷をかけない縮んだ状態から引っ張られた状態で介装されている。付勢部材１００は、鋼線をコイル形に巻いて作られたコイルバネ等の弾性部材により形成されている。
そして、付勢部材１００は、コイル部１０２の一端に第１フック部１０４ａを付設され、コイル部１０２の他端に第２フック部１０４ｂを付設されている。
第１フック部１０４ａは、円環状であり、その円環の径方向が第２ベース部２４の厚み方向にのびている。
第２フック部１０４ｂは、円環状であり、その円環の径方向が第２ベース部２４の幅方向にのびている。
付勢部材１００は、その向こう側端の第１フック部１０４ａが第１綴具部材１２０の第１スライド体２６の第１付勢部材固定部１０６に係止固定され、その手前側端の第２フック部１０４ｂが第２綴具部材１４０の第２スライド体２８の第２付勢部材固定部１０８に係止固定されている。
第１付勢部材固定部１０６は、第１フック部１０４ａを係止するための第１係止括れ部１０６ａを形成されている。第１係止括れ部１０６ａは、第２ベース部２４の厚み方向にのびる。
第２付勢部材固定部１０８は、第２フック部１０４ｂを係止するための第２係止括れ部１０８ａを形成されている。第２係止括れ部１０８ａは、第２ベース部２４の幅方向にのびる。
【００３１】
付勢部材１００は、復元力（均一な）によって第１綴具部材１２０を手前側に押し下げ且つ第２綴具部材１４０を向こう側に押し上げるように構成されている。
而して、付勢部材１００は、綴杆部１２を閉じているときには、第１綴杆の綴杆係止部１２４と第２綴杆の綴杆係止部１４４とを係合させる方向に作用している。
係止された第１綴杆の綴杆係止部１２４及び第２綴杆の綴杆係止部１４４を外すときには、その第１綴杆の綴杆係止部１２４及び第２綴杆の綴杆係止部１４４を指で捩ることにより、付勢部材１００の引張力に抗して第１綴具部材１２０の第１綴杆２０を向こう側に移動させ且つ第２綴具部材１４０の第２綴杆４０を手前側に移動させて、閉じていた第１綴杆２０と第２綴杆４０とを開く。更に、第１綴杆２０と第２綴杆４０とは、幅方向において外側に（すなわち、第１綴杆２０を左側（表側）に回転させ、且つ第２綴杆４０を右側（裏側）に）、回転させて、リーフ１１０を綴じたり外したりすることができる。
【００３２】
ヒンジ部１６の薄肉部ののびる長手方向の中心軸線Ｌ1と、細長孔５４ののびる方向である第１スライド体２６の長手方向にのびる中心軸線Ｌ2と、付勢部材１００の引張方向（第１スライド体２６の長手方向にのびる中心軸線Ｌ2と一致）とは、平行になるように構成されている（図１４参照）。
ヒンジ部１６の薄肉部ののびる長手方向の中心軸線Ｌ1と、細長孔５４ののびる方向である第１スライド体２６の長手方向にのびる中心軸線Ｌ2と、付勢部材１００の引張方向（第１スライド体２６の長手方向にのびる中心軸線Ｌ2と一致）とは、綴杆部１２の開閉する方向すなわち第１綴杆２０と第２綴杆４０との回転方向と直交する。
綴杆部１２を閉じたとき係合する第１綴杆の凸部１２６と第２綴杆の凹部１４８とが綴杆部１２を開くとき外れる方向及び綴杆部１２を閉じたとき係合する第２綴杆の凸部１４６と第１綴杆の凹部１２８とが綴杆部１２を開くとき外れる方向と、前記中心軸線Ｌ1及び中心軸線Ｌ2とは平行である。
綴杆部１２を閉じたとき係合する第１綴杆２０の脱係防止部１３０の係止凸部１３２と第２綴杆４０の脱係防止部１５０の係止凹部１５４とが綴杆部１２を開くとき外れる方向及び綴杆部１２を閉じたとき係合する第１綴杆２０の脱係防止部１３０の係止凹部１３４と第２綴杆４０の脱係防止部１５０の係止凸部１５２とが綴杆部１２を開くとき外れる方向と、前記中心軸線Ｌ1及び中心軸線Ｌ2とは平行である。
而して、第１綴杆２０と第２綴杆４０とが外れる方向は、第１スライド体２６と第２スライド体２８とが移動する方向と、平行であり、且つヒンジ部１６の薄肉部ののびる方向と平行である。
【００３３】
この発明にかかる綴具１０の綴杆部１２を閉じるときには、第１綴杆２０と第２綴杆４０とを指で摘んで、第１綴杆２０と第２綴杆４０とを引き寄せれば、第１綴杆２０及び第２綴杆４０を構成する複数の綴杆が、共に、第１綴杆の綴杆係止部１２４及び第２綴杆の綴杆係止部１４４で係止されて、環状の綴杆部１２を形成する。
この発明にかかる綴具１０の綴杆部１２を開くときには、第１綴杆２０と第２綴杆４０とを指で捩ることにより、第２ベース部２４の第１スライド体２６と第２スライド体２８とを反対方向に移動させて、第１綴杆２０及び第２綴杆４０を構成する複数の綴杆が、共に、係止されていた第１綴杆の綴杆係止部１２４と第２綴杆の綴杆係止部１４４とが脱係して、綴杆部１２を開く。
【００３４】
綴具１０は、第１綴杆２０及び第２綴杆４０に、リーフ１１０の高さ方向に適宜な間隔をあけて連続して設けられた綴じ穴１１２を貫挿し、リーフ１１０の高さ方向にのびる綴じ代側端縁１１４の側にヒンジ部１６を位置させ、綴じ穴１１２と綴じ代側端縁１１４との間に第１綴杆２０及び第２綴杆４０が架け渡されるようにして、リーフ１１０を綴じ、ノートを形成する。
綴具１０は、綴具１０の長さ方向が、幅方向にのびる端縁に綴じ穴１１２を形成したリーフ１１０の幅方向にのびるように、リーフ１１０を綴じて、ノートを形成してもよい。
【００３５】
綴具１０に綴じられたリーフ１１０は、図２７において示すように、ヒンジ部１６側に向けて捲りかえされ、閉じられて積層されていたときのリーフの表側１１０ａとリーフの裏側１１０ｂとをヒンジ部１６を挟んで接し合わせるようにして、筆記等に用いることができる。
【００３６】
リーフ１１０は、次の図２０〜図２１に示すリーフのように構成してもよい。
図２０及び図２１図示リーフ１１０は、表表紙１１６Ａと、裏表紙１１６Ｂと、それらとの間に挟まれた筆記用の用箋１１６Ｃとを備えている。表表紙１１６Ａ，裏表紙１１６Ｂ及び用箋１１６Ｃは、綴じ代側端縁に、貫通孔からなる綴じ穴１１２が形成されている。
【００３７】
表表紙１１６Ａは、第１綴杆の綴杆係止部１２４を脱係する方向すなわち綴具１０の長さ方向における向こう側（上方）に向けて、移動させる変位体を構成しており、その向こう側端縁（上端縁）の綴具１０側近傍に第１摘み部１１６Ａ1が突設されている。
第１摘み部１１６Ａ1は、表表紙１１６Ａの綴具１０側隅部の向こう側端縁（上端）より、表表紙１１６Ａを第１綴杆の綴杆係止部１２４を脱係する方向である向こう側（上方）に向けて、指で挟んで引っ張ることができる面積を備えた平面視半円形突片である。
第１摘み部１１６Ａ1は、表表紙１１６Ａと一体に形成されている。第１摘み部１１６Ａ1は、表表紙１１６Ａの上端と平行に形成された直線状折曲部１１６Ａ2において内側に向けて折り曲げることができるように構成され、表表紙１１６Ａの上端縁より突出することがないように構成されている。
裏表紙１１６Ｂは、第２綴杆の綴杆係止部１４４を脱係する方向すなわち綴具１０の長さ方向における手前側（下方）に向けて、移動させる変位体を構成しており、その手前側端縁（下端縁）の綴具１０側近傍に第２摘み部１１６Ｂ1が突設されている。
第２摘み部１１６Ｂ1は、裏表紙１１６Ｂの綴具１０側隅部の手前側端縁（下端）より、裏表紙１１６Ｂを第２綴杆の綴杆係止部１４４を脱係する方向である手前側（下方）に向けて、指で挟んで引っ張ることができる面積を備えた平面視半円形突片である。
第２摘み部１１６Ｂ1は、裏表紙１１６Ｂと一体に形成されている。第２摘み部１１６Ｂ1は、裏表紙１１６Ｂの下端と平行に形成された直線状折曲部１１６Ｂ2において内側に向けて折り曲げることができるように構成され、裏表紙１１６Ｂの下端縁より突出することがないように構成されている。
【００３８】
用箋１１６Ｃは、表表紙１１６Ａ及び裏表紙１１６Ｂより、リーフ１１０の高さ方向における長さがわずかに短く形成されており、第１摘み部１１６Ａ1は、用箋１１６Ｃの上端縁より向こう側（上方）に向けて突き出ている。また、同様に第２摘み部１１６Ｂ1は、用箋１１６Ｃの下端縁より手前側（下方）に向けて突き出ている。
第１綴杆２０と第２綴杆４０とを開くときにおいては、例えば、左手の人差し指と親指とによって第１摘み部１１６Ａ1を摘み向こう側（上側）に引っ張り、同時に、右手の人差し指と親指とによって、第２摘み部１１６Ｂ1を摘み手前側（下側）に引っ張り、第１綴杆の綴杆係止部１２４と第２綴杆の綴杆係止部１４４との係合を外し、且つ、第１摘み部１１６Ａ1を幅方向に回転させて開くとともに、第２摘み部１１６Ｂ1を幅方向に回転させて開く。このとき、第１摘み部１１６Ａ1は、第１綴杆２０の開く側である表側に引っ張って第１綴杆２０を回転させ、第２摘み部１１６Ｂ1は、第２綴杆４０の開く側である裏側に引っ張って第２綴杆４０を回転させる。
【００３９】
リーフ１１０は、次の図２２〜図２３に示すリーフ１１１０のように構成してもよい。
図２２及び図２３図示リーフ１１１０は、表表紙１１１６Ａと、裏表紙１１１６Ｂと、それらとの間に挟まれた筆記用の用箋１１１６Ｃとを備えている。表表紙１１１６Ａ，裏表紙１１１６Ｂ及び用箋１１１６Ｃは、綴じ代側端縁に貫通孔からなる綴じ穴１１１２が形成されている。
【００４０】
表表紙１１１６Ａは、第１綴杆の綴杆係止部１２４を脱係する方向すなわち綴具１０の長さ方向における向こう側（上方）に向けて、移動させる変位体を構成しており、その向こう側端縁（上端縁）の綴具１０側近傍に第１摘み部１１１６Ａ1が形成されている。
第１摘み部１１１６Ａ1は、表表紙１１１６Ａの綴具１０側隅部の向こう側端縁（上端）より、表表紙１１１６Ａを第１綴杆の綴杆係止部１２４を脱係する方向である向こう側（上方）に向けて、指で挟んで引っ張ることができる面積を備えた平面視略方形状部分である。
第１摘み部１１１６Ａ1は、表表紙１１１６Ａと一体に形成されている。
裏表紙１１１６Ｂは、第２綴杆の綴杆係止部１４４を脱係する方向すなわち綴具１０の長さ方向における手前側（下方）に向けて、移動させる変位体を構成しており、その手前側端縁（下端縁）の綴具１０側近傍に第２摘み部１１１６Ｂ1が突設されている。
第２摘み部１１１６Ｂ1は、裏表紙１１１６Ｂの綴具１０側隅部の手前側端縁（下端）より、裏表紙１１１６Ｂを第２綴杆の綴杆係止部１４４を脱係する方向である手前側（下方）に向けて、指で挟んで引っ張ることができる面積を備えた平面視略方形状部分である。
第２摘み部１１１６Ｂ1は、裏表紙１１１６Ｂと一体に形成されている。
【００４１】
用箋１１１６Ｃは、表表紙１１１６Ａ及び裏表紙１１１６Ｂより、リーフ１１１０の高さ方向における長さがわずかに短く形成されている。
【００４２】
用箋１１１６Ｃは、第１摘み部１１１６Ａ1の領域を指で挟んで摘むために、ベース部１４の長さ方向における向こう側端縁（上端縁）で綴具１０に綴じられる綴じ穴１１１２の近傍に、用箋の一部を切り欠かれてなる第１切欠部１１１６Ｃ1を形成されている。
すなわち、表表紙１１１６Ａの第１摘み部１１１６Ａ1と用箋１１１６Ｃの第１切欠部１１１６Ｃ1とが協働して、変位体を構成し、裏表紙１１１６Ｂの第２摘み部１１１６Ｂ1と用箋１１１６Ｃの第２切欠部１１１６Ｃ2とが協働して、変位体を構成している。
【００４３】
用箋１１１６Ｃは、第２摘み部１１１６Ｂ1の領域を指で挟んで摘むために、ベース部１４の長さ方向における手前側端縁（下端縁）で綴具１０に綴じられる綴じ穴１１１２の近傍に、用箋の一部を切り欠かれてなる第２切欠部１１１６Ｃ2を形成されている。
すなわち、表表紙１１１６Ａの第１摘み部１１１６Ａ1と用箋１１１６Ｃの第１切欠部１１１６Ｃ1とが協働して、変位体を構成し、裏表紙１１１６Ｂの第２摘み部１１１６Ｂ1と用箋１１１６Ｃの第２切欠部１１１６Ｃ2とが協働して、変位体を構成している。
【００４４】
第１綴杆２０と第２綴杆４０を開くときにおいては、例えば、左手の人差し指と親指によって、第１摘み部１１１６Ａ1を摘み向こう側（上側）に引っ張り、同時に右手の人差し指と親指とによって第２摘み部１１１６Ｂ1を摘み手前側（下側）に引っ張り、第１綴杆の綴杆係止部１２４と第２綴杆の綴杆係止部１４４との係合を外し、且つ、第１摘み部１１１６Ａ1を幅方向に回転させて開くとともに第２摘み部１１１６Ｂ1を幅方向に回転させて開く。このとき、第１摘み部１１１６Ａ1は、第１綴杆２０の開く側である表側に引っ張って第１綴杆２０を回転させ、第２摘み部１１１６Ｂ1は、第２綴杆４０の開く側である裏側に引っ張って第２綴杆４０を回転させる。
【００４５】
リーフ１１０は、次の図２４及び図２５に示すリーフのように構成してもよい。
表表紙１１１６Ａは、第１綴杆２０の第１綴杆の綴杆係止部１２４を脱係する方向すなわち綴具１０の長さ方向における向こう側（上方）に向けて、移動させる変位体を構成している、平面視略長方形状の第１変位板体３１１６Ａが添設されている。そして、第１変位板体３１１６Ａは、その向こう側端縁（上端縁）の綴具１０側近傍に第１摘み部３１１６Ａ1が形成されている。
第１摘み部３１１６Ａ1は、表表紙１１１６Ａの綴具１０側隅部の向こう側端縁（上端）より、表表紙１１１６Ａを第１綴杆２０の第１綴杆の綴杆係止部１２４を脱係する方向である向こう側（上方）に向けて、指で挟んで引っ張ることができる面積を備えた平面視略方形状部分である。
第１摘み部３１１６Ａ1は、表表紙１１１６Ａと一体に形成されている。
裏表紙１１１６Ｂは、第２綴杆の綴杆係止部１４４を脱係する方向すなわち綴具１０の長さ方向における手前側（下方）に向けて、移動させる変位体を構成している、平面視平面視略長方形状の第２変位板体３１１６Ｂが添設されている。そして、第２変位板体３１１６Ｂは、その手前側端縁（下端縁）の綴具１０側近傍に第２摘み部３１１６Ｂ1が突設されている。
第２摘み部３１１６Ｂ1は、裏表紙１１１６Ｂの綴具１０側隅部の手前側端縁（下端）より、裏表紙１１１６Ｂを第２綴杆の綴杆係止部１４４を脱係する方向である手前側（下方）に向けて、指で挟んで引っ張ることができる面積を備えた平面視略方形状部分である。
第２摘み部３１１６Ｂ1は、裏表紙１１１６Ｂと一体に形成されている。
【００４６】
用箋１１１６Ｃは、表表紙１１１６Ａ及び裏表紙１１１６Ｂより、リーフ１１１０の高さ方向における長さがわずかに短く形成されている。
【００４７】
第１変位板体３１１６Ａは、その綴じ代側端縁に穿設された綴じ穴３１１２Ａに第１綴杆２０を貫挿することにより表表紙１１１６Ａの表面側に添設され、第２変位板体３１１６Ｂは、その綴じ代側端縁に穿設された綴じ穴３１１２Ｂに第２綴杆４０を貫挿することにより裏表紙１１１６Ｂの裏側に添設されている。
表表紙１１１６Ａ、裏表紙１１１６Ｂ及び用箋１１１６Ｃは、第１摘み部３１１６Ａ1の領域を指で挟んで摘むために、ベース部１４の長さ方向における向こう側端縁（上端縁）で綴具１０に綴じられる綴じ穴１１１２の近傍に、用箋の一部を切り欠かれてなる第１切欠部１１１６Ｃ1を形成されている。
すなわち、表表紙１１１６Ａ、裏表紙１１１６Ｂ及び用箋１１１６Ｃの第１切欠部１１１６Ｃ1と第２変位板体３１１６Ｂとが協働して、変位体を構成し、表表紙１１１６Ａ、裏表紙１１１６Ｂ及び用箋１１１６Ｃの第２切欠部１１１６Ｃ2とが協働して、変位体を構成している。
第１綴杆２０と第２綴杆４０とを開くときおいては、例えば、左手の人差し指と親指とによって第１変位板体３１１６Ａを摘み向こう側（上側）に引っ張り、同時に、右手の人差し指と親指とによって、第２変位板体３１１６Ｂを摘み手前側（下側）に引っ張り、第１綴杆の綴杆係止部１２４と第２綴杆の綴杆係止部１４４との係合を外し、且つ、第１変位板体３１１６Ａを幅方向に回転させて開くとともに、第２変位板体３１１６Ｂを幅方向に回転させて開く。このとき、第１変位板体３１１６Ａは、第１綴杆２０の開く側である表側に引っ張って第１綴杆２０を回転させ、第２変位板体３１１６Ｂは、第２綴杆４０の開く側である裏側に引っ張って第２綴杆４０を回転させる。
【００４８】
表表紙１１１６Ａ、裏表紙１１１６Ｂ及び用箋１１１６Ｃは、第２摘み部３１１６Ｂ1の領域を指で挟んで摘むために、ベース部１４の長さ方向における手前側端縁（下端縁）で綴具１０に綴じられる綴じ穴１１１２の近傍に、用箋の一部を切り欠かれてなる第２切欠部１１１６Ｃ2を形成されている。
すなわち、第１変位板体３１１６Ａの第１摘み部３１１６Ａ1と用箋１１１６Ｃの第１切欠部１１１６Ｃ1とが協働して、変位体を構成し、第２変位板体３１１６Ｂの第２摘み部３１１６Ｂ1と用箋１１１６Ｃの第２切欠部１１１６Ｃ2とが協働して、変位体を構成している。
【００４９】
第１綴杆２０と第２綴杆４０を開くときにおいては、例えば、左手の人差し指と親指によって、第１摘み部３１１６Ａ1を摘み向こう側（上側）に引っ張り、同時に右手の人差し指と親指とによって第２摘み部３１１６Ｂ1を摘み手前側（下側）に引っ張り、第１綴杆の綴杆係止部１２４と第２綴杆の綴杆係止部１４４との係合を外し、且つ、第１摘み部３１１６Ａ1を幅方向に回転させて開くとともに第２摘み部３１１６Ｂ1を幅方向に回転させて開く。このとき、第１摘み部３１１６Ａ1は、第１綴杆２０の開く側である表側に引っ張って第１綴杆２０を回転させ、第２摘み部３１１６Ｂ1は、第２綴杆４０の開く側である裏側に引っ張って第２綴杆４０を回転させる。
【００５０】
この発明の実施の形態によれば、ベース部１４は、向き合う第１ベース部の対向部８２及び第２ベース部の対向部９２と、前記第１ベース部の対向部８２及び第２ベース部の対向部９２と相対し第１綴杆２０及び第２綴杆４０が突設された第１ベース部の外側部８４及び第２ベース部の外側部９４と、前記第１ベース部の対向部８２及び第２ベース部の対向部９２と第１ベース部の外側部８４及び第２ベース部の外側部９４との間において前記第１ベース部の対向部８２，第２ベース部の対向部９２及び第１ベース部の外側部８４，第２ベース部の外側部９４に交差する面で、ヒンジ部１６が連設された第１ベース部の下側部８６及び第２ベース部の下側部９６を備えているので、第１ベース部の対向部８２と第２ベース部の対向部９２とは、回転方向と直交し綴具１０を閉じたときに垂直にすなわち高さ方向にのびる平面であって、綴具１０を閉じたときに密着するように形成すれば、綴具１０を閉じたときに第１綴杆の綴杆係止部１２４と第２綴杆の綴杆係止部１４４との係合状態を安定的に保つことができ、綴杆部１２を構成する第１綴杆２０と第２綴杆４０とにより構成される円環状の径を縮むように作用することを少なくすることができる。
この発明の実施の形態によれば、第１綴杆２０及び第２綴杆４０は、前記ベース部１４の長手方向に間欠的に形成され、綴杆部１２が前記ヒンジ部１６を中心にして回転し且つ綴杆部１２を開閉するときに長手方向に相対変移するように形成されているので、複数の第１綴杆２０及び第２綴杆４０で構成される綴杆部１２を一度に開閉させることができる。
この発明の実施の形態によれば、第１綴杆の綴杆係止部１２４，第２綴杆の綴杆係止部１４４は、第１綴杆２０及び第２綴杆４０の回転方向において係止及び脱係するように、第１綴杆２０の第１綴杆の凸部１２６及び第１綴杆の凹部１２８と第２綴杆４０の第２綴杆の凹部１４８及び第２綴杆の凸部１４６とが係合するように構成され、且つ、綴杆部１２を閉じたとき、第１綴杆２０及び第２綴杆４０の回転方向及び回転方向と交差する方向に脱係しないように第１綴杆２０及び第２綴杆４０の回転方向と交差する方向にのびる脱係防止部１３０，１５０が形成されているので、第１綴杆２０及び第２綴杆４０の回転方向及び回転方向と交差する方向に、閉じられた綴杆の第１綴杆の綴杆係止部１２４，第２綴杆の綴杆係止部１４４が脱係しにくい。
【００５１】
この発明の実施の綴具１０は、その綴杆部１２に、リーフ１１０の綴じ穴１１２を貫挿させて綴じられた、ノートを構成でき、又、表表紙と裏表紙と背表紙とを備えた表紙に固定して、ファイル・バインダ類を構成できる。
【００５２】
この発明は、前記実施の形態に限らず、この発明の思想に基づき種々変更することができる。
【００５３】
付勢部材１００は、次のように構成してもよい。
図２６は、変形例の斜視図解図である。
図２６図示付勢部材１００は、第１スライド体２６の一部分として形成されたコイルバネからなり、コイル部１０２とコイル部１０２の一端からコイル部１０２の中心軸と直交ないし交差する方向に伸びる直線状の第２フック部１０４ｂが連設されている。
そして、付勢部材１００のコイル部１０２の一端から延びる第２フック部１０４ｂを支持するために、前記第２スライド体２８に第２付勢部材固定部１０８が形成されている。
前記付勢部材１００のコイル部１０２の一端から延びる第２フック部１０４ｂは、第１綴具部材１２０の第１スライド体２６と対向する第２綴具部材１４０の第２スライド体２８の第２付勢部材固定部１０８に係止され、支持されている。
すなわち、一方のコイル部１０２の一端は、第１スライド体２６に支持され、また、もう一方の第２フック部１０４ｂは、第２スライド体２８の第２付勢部材固定部１０８に支持されている。
【００５４】
そして、付勢部材１００は、引張力（均一な）によって第１綴具部材１２０を手前側に引き下げ且つ第２綴具部材１４０を向こう側に引き上げるように構成されている。
而して、付勢部材１００は、綴杆部１２を閉じているときには、第１綴杆の綴杆係止部１２４と第２綴杆の綴杆係止部１４４とを係合させる方向に作用している。
その第１綴杆の綴杆係止部１２４及び第２綴杆の綴杆係止部１４４を指で捩ることにより、係止された第１綴杆の綴杆係止部１２４及び第２綴杆の綴杆係止部１４４を外すときには、付勢部材１００の引張力に抗して第１綴具部材１２０の第１綴杆２０を向こう側に移動させ且つ第２綴具部材１４０の第２綴杆４０を手前側に移動させて、閉じていた第１綴杆２０と第２綴杆４０とを開く。
【００５５】
綴杆部１２を構成する複数の綴杆の数は、例えば、４〜３０というように種々有り、又、第１綴杆２０及び第２綴杆４０の綴杆の間隔も一定であったり、変更したりすることもある。
【００５６】
移動部１８は、その位置及び数を適宜変更してもよく、その構造も第１スライド体２６と第２スライド体２８とを摺動して移動できる構造であれば、その他の構造でもよい。
移動距離規制部７０も同様である。
【産業上の利用可能性】
【００５７】
この発明にかかる綴具１０は、ファイル・バインダ類を構成する表紙の背表紙領域又は綴じ代領域の外側に固定して、用いることができ、又、単独で用いてもよい。
【符号の説明】
【００５８】
１０  綴具
１２  綴杆部
１４  ベース部
１６  ヒンジ部
１８  移動部
２０  第１綴杆
２２  第１ベース部
２４  第２ベース部
２６  第１スライド体
２８  第２スライド体
４０  第２綴杆
５０  摺動孔
５２  挿入大孔
５４  細長孔
５６  案内凸条
５６ａ  第１案内凸条
５６ｂ  第２案内凸条
６０  摺動凸部
６２  頭部
６４  首部
６６  肩部
７０  移動距離規制部
７２  規制凸部
７２ａ  垂直壁
７４  規制凹部
７４ａ  垂直面
８２  第１ベース部の対向部
８２ａ  頭部収容穴
８２ｂ  付勢部材収容穴
８４  第１ベース部の外側部
８６  第１ベース部の下側部
８８  第１ベース部の上側部
９２  第２ベース部の対向部
９４  第２ベース部の外側部
９６  第２ベース部の下側部
９８  第２ベース部の上側部
１００  付勢部材
１０２  コイル部
１０４ａ  第１フック部
１０４ｂ  第２フック部
１０６  第１付勢部材固定部
１０６ａ  第１係止括れ部
１０８ａ  第２係止括れ部
１０８  第２付勢部材固定部
１１０，１１１０  リーフ
１１０ａ  リーフの表側
１１０ｂ  リーフの裏側
１１２，１１１２，３１１２Ａ，３１１２Ｂ  綴じ穴
１１４  綴じ代側端縁
１１６Ａ，１１１６Ａ  表表紙
１１６Ａ1，１１１６Ａ1  第１摘み部
１１６Ａ2，１１６Ｂ2  折曲部
１１６Ｂ，１１１６Ｂ  裏表紙
１１６Ｂ1，１１１６Ｂ1  第２摘み部
１１６Ｃ，１１１６Ｃ  用箋
１２０  第１綴具部材
１２２ａ，１４２ａ  根元部
１２２ｂ，１４２ｂ  自由端
１２４  第１綴杆の綴杆係止部
１２６  第１綴杆の凸部
１２８  第１綴杆の凹部
１３０，１５０  脱係防止部
１３２，１５２  係止凸部
１３４，１５４  係止凹部
１４０  第２綴具部材
１４４  第２綴杆の綴杆係止部
１４６  第２綴杆の凸部
１４８  第２綴杆の凹部
１１１６Ｃ1  第１切欠部
１１１６Ｃ2  第２切欠部
３１１６Ａ  第１変位板体
３１１６Ａ1  第１摘み部
３１１６Ｂ  第２変位板体
３１１６Ｂ1  第２摘み部
【図１】
0005613205.tif 000002
【図２】
0005613205.tif 000003
【図３】
0005613205.tif 000004
【図４】
0005613205.tif 000005
【図５】
0005613205.tif 000006
【図６】
0005613205.tif 000007
【図７Ａ】
0005613205.tif 000008
【図７Ｂ】
0005613205.tif 000009
【図８】
0005613205.tif 000010
【図９】
0005613205.tif 000011
【図１０】
0005613205.tif 000012
【図１１】
0005613205.tif 000013
【図１２】
0005613205.tif 000014
【図１３】
0005613205.tif 000015
【図１４】
0005613205.tif 000016
【図１５】
0005613205.tif 000017
【図１６Ａ】
0005613205.tif 000018
【図１６Ｂ】
0005613205.tif 000019
【図１７Ａ】
0005613205.tif 000020
【図１７Ｂ】
0005613205.tif 000021
【図１７Ｃ】
0005613205.tif 000022
【図１８Ａ】
0005613205.tif 000023
【図１８Ｂ】
0005613205.tif 000024
【図１９Ａ】
0005613205.tif 000025
【図１９Ｂ】
0005613205.tif 000026
【図１９Ｃ】
0005613205.tif 000027
【図２０】
0005613205.tif 000028
【図２１】
0005613205.tif 000029
【図２２】
0005613205.tif 000030
【図２３】
0005613205.tif 000031
【図２４】
0005613205.tif 000032
【図２５】
0005613205.tif 000033
【図２６】
0005613205.tif 000034
【図２７】
0005613205.tif 000035
【図２８】
0005613205.tif 000036
【図２９】
0005613205.tif 000037